(57)【要約】【課題】案内レール上を走行する際の抵抗を大幅に低減させることができる安価なマンコンベアの移動手摺を提供する。【解決手段】移動手摺９は、本体樹脂部１７、基布２０、低摩擦糸２１を備える。本体樹脂部１７は、横断面がＣ字状を呈し、無端状に形成される。基布２０は、本体樹脂部１７の内側面に、本体樹脂部１７の長手に沿って設けられる。低摩擦糸２１は、基布２０に縫われた糸からなり、一部が基布２０の表面に露出する。低摩擦糸２１には、基布２０を構成する繊維より低い摩擦特性を有し且つ磨耗し易い繊維が用いられる。【選択図】図５
2014162591.tif 000002
【特許請求の範囲】
【請求項１】
横断面がＣ字状を呈し、無端状に形成された本体樹脂部と、
前記本体樹脂部の内側面に、前記本体樹脂部の長手に沿って設けられた基布と、
一部が前記基布の表面に露出するように前記基布に縫われた低摩擦糸と、
を備え、
前記低摩擦糸に、前記基布を構成する繊維より低い摩擦特性を有し且つ磨耗し易い繊維が用いられたマンコンベアの移動手摺。
【請求項２】
前記低摩擦糸は、前記基布の表面側及び裏面側を往復し、前記基布の裏面側で裏糸によって抜け止めされた請求項１に記載のマンコンベアの移動手摺。
【請求項３】
前記低摩擦糸に、フッ素樹脂を基材とする繊維又は超高分子ポリエチレンを基材とする繊維が用いられた請求項１又は請求項２に記載のマンコンベアの移動手摺。
【請求項４】
横断面がＣ字状を呈し、無端状に形成された本体樹脂部と、
前記本体樹脂部の内側面に、前記本体樹脂部の長手に沿って設けられた基布と、
一部が前記基布の表面に露出するように前記基布に直接設けられた低摩擦材と、
を備え、
前記低摩擦材に、前記基布を構成する繊維より低い摩擦特性を有し且つ磨耗し易い繊維又は成型品が用いられたマンコンベアの移動手摺。
【請求項５】
前記低摩擦材は、前記基布を貫通し、一部が前記基布の表面に露出し、他の一部が前記基布の裏面側に配置された請求項４に記載のマンコンベアの移動手摺。
【請求項６】
前記低摩擦材は、Ｕ字状を呈し、中間部が前記基布の表面に露出し、両端部が前記基布の裏面側に配置された請求項５に記載のマンコンベアの移動手摺。
【請求項７】
前記低摩擦材は、前記基布の裏面側に配置される部分に抜け止めが形成された請求項５に記載のマンコンベアの移動手摺。
【請求項８】
前記低摩擦材は、一部がＶ字状を呈し、Ｖ字状を呈する部分が前記基布の孔に挿入された請求項５に記載のマンコンベアの移動手摺。
【請求項９】
前記低摩擦材に、フッ素樹脂を基材とする繊維或いは成型品、又は超高分子ポリエチレンを基材とする繊維或いは成型品が用いられた請求項４から請求項８の何れか一項に記載のマンコンベアの移動手摺。
【請求項１０】
横断面がＣ字状を呈する長尺の本体樹脂部と、
前記本体樹脂部の内側面に、前記本体樹脂部の長手に沿って設けられた基布と、
一部が前記基布の表面に露出するように前記基布に縫われた低摩擦糸と、
を備え、
前記低摩擦糸に、前記基布を構成する繊維より低い摩擦特性を有し且つ磨耗し易い繊維が用いられたマンコンベア用手摺。
【請求項１１】
横断面がＣ字状を呈する長尺の本体樹脂部と、
前記本体樹脂部の内側面に、前記本体樹脂部の長手に沿って設けられた基布と、
一部が前記基布の表面に露出するように前記基布に直接設けられた低摩擦材と、
を備え、
前記低摩擦材に、前記基布を構成する繊維より低い摩擦特性を有し且つ磨耗し易い繊維又は成型品が用いられたマンコンベア用手摺。
【発明の詳細な説明】
【技術分野】
【０００１】
この発明は、マンコンベアで使用される移動手摺と、マンコンベアでの使用を目的としたマンコンベア用手摺とに関するものである。
【背景技術】
【０００２】
エスカレーター及び動く歩道といったマンコンベアでは、一般に、断面がＣ字状を呈する無端状の移動手摺が使用される。移動手摺は、踏段の上にいる乗客が安全のために掴むためのものである。移動手摺は、踏段と同期するように駆動され、案内レールによってその走行が案内される。
【０００３】
マンコンベアでは、一般に、移動手摺の駆動と走行の案内とを、移動手摺の内側表面を介して行っている。このため、移動手摺には、その内側表面に、十分な駆動力を発生させるための高い摩擦特性（摩擦係数）と、走行時の抵抗（走行抵抗）を低減させるための低い摩擦特性（摩擦係数）との双方の機能を備えることが要求される。
【０００４】
特許文献１に、マンコンベアの移動手摺の従来技術が開示されている。特許文献１に記載された移動手摺は、二層構造の帆布を備える。摺動布は、帆布の一層を構成する。摺動布の縦糸として、フッ素樹脂繊維等の摩擦特性が極めて低い糸が使用される。摺動布は、縦糸が横糸の裏面側よりも表面側を多く通過するように織られている。
【先行技術文献】
【特許文献】
【０００５】
【特許文献１】特開２０１１−４２４１３号公報
【発明の概要】
【発明が解決しようとする課題】
【０００６】
特許文献１に記載された移動手摺では、摺動布の縦糸に高価なフッ素樹脂繊維等が用いられている。フッ素樹脂繊維等を移動手摺の全長に渡って配置しなければならず、移動手摺が高価になるといった問題があった。
【０００７】
この発明は、上述のような課題を解決するためになされたものである。この発明の目的は、案内レール上を走行する際の抵抗を大幅に低減させることができる安価なマンコンベアの移動手摺と、そのような機能を備えたマンコンベア用手摺とを提供することである。
【課題を解決するための手段】
【０００８】
この発明に係るマンコンベアの移動手摺は、横断面がＣ字状を呈し、無端状に形成された本体樹脂部と、本体樹脂部の内側面に、本体樹脂部の長手に沿って設けられた基布と、一部が基布の表面に露出するように基布に縫われた低摩擦糸と、を備え、低摩擦糸に、基布を構成する繊維より低い摩擦特性を有し且つ磨耗し易い繊維が用いられたものである。
【０００９】
また、この発明に係るマンコンベアの移動手摺は、横断面がＣ字状を呈し、無端状に形成された本体樹脂部と、本体樹脂部の内側面に、本体樹脂部の長手に沿って設けられた基布と、一部が基布の表面に露出するように基布に直接設けられた低摩擦材と、を備え、低摩擦材に、基布を構成する繊維より低い摩擦特性を有し且つ磨耗し易い繊維又は成型品が用いられたものである。
【００１０】
この発明に係るマンコンベア用手摺は、横断面がＣ字状を呈する長尺の本体樹脂部と、本体樹脂部の内側面に、本体樹脂部の長手に沿って設けられた基布と、一部が基布の表面に露出するように基布に縫われた低摩擦糸と、を備え、低摩擦糸に、基布を構成する繊維より低い摩擦特性を有し且つ磨耗し易い繊維が用いられたものである。
【００１１】
また、この発明に係るマンコンベア用手摺は、横断面がＣ字状を呈する長尺の本体樹脂部と、本体樹脂部の内側面に、本体樹脂部の長手に沿って設けられた基布と、一部が基布の表面に露出するように基布に直接設けられた低摩擦材と、を備え、低摩擦材に、基布を構成する繊維より低い摩擦特性を有し且つ磨耗し易い繊維又は成型品が用いられたものである。
【発明の効果】
【００１２】
この発明によれば、移動手摺が案内レール上を走行する際の抵抗を大幅に低減させることができる。また、移動手摺を安価に構成することができる。
【図面の簡単な説明】
【００１３】
【図１】マンコンベアの全体構成を示す側面図である。
【図２】図１に示すＡ−Ａ断面図である。
【図３】図１に示すＢ−Ｂ断面図である。
【図４】この発明の実施の形態１におけるマンコンベアの移動手摺を示す断面図である。
【図５】この発明の実施の形態１における移動手摺の帆布を示す正面図である。
【図６】図５に示す帆布の断面図である。
【図７】図５に示す基布の織り方の一例を示す図である。
【図８】この発明の実施の形態２における移動手摺の帆布を示す正面図である。
【図９】図８に示す帆布の断面図である。
【図１０】低摩擦材の他の例を示す図である。
【図１１】低摩擦材の他の例を示す図である。
【発明を実施するための形態】
【００１４】
添付の図面を参照して、本発明を詳細に説明する。各図では、同一又は相当する部分に、同一の符号を付している。重複する説明は、適宜簡略化或いは省略する。
【００１５】
実施の形態１．
図１は、マンコンベアの全体構成を示す側面図である。以下においては、上下階床間の移動の際に利用されるエスカレーターの構成について、具体的に説明する。マンコンベアの他の例、例えば、動く歩道の構成については、その説明を省略する。
【００１６】
エスカレーターのトラス１は、建物の上下階床間に掛け渡される。トラス１は、エスカレーターの自重及び積載荷重を支持する。エスカレーターの乗客は、上下階床間を移動する際に踏段２に乗る。踏段２は、無端状の踏段チェーン３に連結される。踏段チェーン３は、トラス１の上部に設けられた機械室４で、踏段駆動用スプロケット５に巻き掛けられる。
【００１７】
機械室４に、駆動電動機６、減速機７及び制御盤８が備えられる。駆動電動機６は、踏段駆動用スプロケット５等を駆動する。減速機７は、駆動電動機６の出力を減速し、チェーンを介して、踏段駆動用スプロケット５が設けられた軸を回転させる。制御盤８は、エスカレーターの運転を制御する。駆動電動機６の制御は、制御盤８によって行われる。
【００１８】
移動手摺９は、踏段２に乗降する乗客及び踏段２に乗っている乗客が安全のために掴むものである。移動手摺９は無端状を呈する。踏段２の両側に、欄干１０が設けられる。移動手摺９は、上部側が、欄干１０の上端部に沿って配置される。また、移動手摺９は、エスカレーターの上下乗降口で上下に反転される。移動手摺９の下部側は、踏段２の両側に設けられたスカートガード内に配置される。
【００１９】
移動手摺９は、手摺駆動装置１１により、往路側の踏段２と同期するように駆動される。手摺駆動装置１１は、例えば、摩擦駆動方式によって移動手摺９を駆動する。摩擦駆動方式を採用する手摺駆動装置１１は、駆動ローラ１２及び加圧ローラ１３（図１においては、共に図示せず）を備える。移動手摺９は、駆動ローラ１２と加圧ローラ１３とにより、上下（表裏）から挟み込まれる。手摺駆動装置１１は、この移動手摺９を挟み込んだ状態で駆動ローラ１２を回転させることにより、移動手摺９との摩擦力を利用して移動手摺９を駆動する。なお、駆動ローラ１２は、移動手摺９の内側表面に接触する。加圧ローラ１３は、移動手摺９の外側表面（乗客が把持する把持面）に接触する。駆動ローラ１２の表面及び加圧ローラ１３の表面は、駆動力を増加させるため及び移動手摺９の表面を保護するために、ポリウレタン樹脂等の弾性体で覆われる。
【００２０】
手摺駆動用スプロケット１４は、踏段駆動用スプロケット５と同じ軸に設けられる。手摺駆動用スプロケット１４の回転力は、手摺チェーン１５によって、手摺駆動装置１１に伝達される。即ち、駆動電動機６の駆動力によって、手摺駆動用スプロケット１４が踏段駆動用スプロケット５とともに回転し、手摺チェーン１５を介してその駆動力が手摺駆動装置１１に伝達される。そして、移動手摺９は、手摺駆動装置１１によって駆動され、往路側の踏段２に同期して上下階床間を循環移動する。
【００２１】
次に、移動手摺９について具体的に説明する。
図２は図１に示すＡ−Ａ断面図である。図３は図１に示すＢ−Ｂ断面図である。図４は移動手摺９を示す断面図である。
【００２２】
移動手摺９は、横断面（長手方向に直交する方向の断面）が、略Ｃ字状を呈する。手摺駆動装置１１による移動手摺９の駆動と案内レール１６による移動手摺９の走行の案内とは、移動手摺９の内側表面を介して行われる。このため、移動手摺９には、内側表面に、十分な駆動力を発生させるための高い摩擦特性（摩擦係数）と、案内レール１６上を走行する際の抵抗（走行抵抗）を低減させるための低い摩擦特性（摩擦係数）との双方の機能が要求される。
【００２３】
本実施の形態における移動手摺９は、本体樹脂部１７、抗張体１８、帆布１９によりその要部が構成される。
本体樹脂部１７は、移動手摺９の要部を構成する。本体樹脂部１７は、横断面が略Ｃ字状を呈し、全体として無端状に形成される。本体樹脂部１７は、例えば、ゴムやポリウレタン等の樹脂部材からなる。図２等では、本体樹脂部１７が一種類の樹脂部材からなる場合を一例として示している。移動手摺９に付与する機能等に合わせて、本体樹脂部１７を複数の樹脂層で構成しても良い。
【００２４】
抗張体１８は、移動手摺９に引張強度を付与し、その伸びを防止するためのものである。抗張体１８は、例えば、鋼製のワイヤを縒り合わせたものからなる。スチールテープ等によって抗張体１８を構成しても良い。抗張体１８は、本体樹脂部１７の内部に、その長手に沿って設けられる。
【００２５】
帆布１９は、移動手摺９に対して、上述した摩擦特性の双方の機能を付与するために備えられたものである。帆布１９は、本体樹脂部１７の内側面に、本体樹脂部１７の長手に沿って設けられる。図５は移動手摺９の帆布１９を示す正面図である。図６は図５に示す帆布１９の断面図である。
【００２６】
帆布１９は、基布２０と低摩擦糸２１とを備える。
基布２０は、本体樹脂部１７の内側面に、本体樹脂部１７の長手に沿って設けられる。基布２０は、本体樹脂部１７の内側面の全体を覆うように配置される。基布２０は、少なくともその一部に、本体樹脂部１７の内側面を構成する樹脂との接着性に優れた繊維が用いられる。図７は図５に示す基布２０の織り方の一例を示す図である。
【００２７】
基布２０は、例えば、縦糸２２と横糸２３とが規則的な織り方で織られた織物からなる。縦糸２２は、長手が本体樹脂部１７（移動手摺９）の長手に沿って配置された糸である。横糸２３は、長手が本体樹脂部１７の長手に直交する方向に沿って配置された糸である。縦糸２２及び横糸２３として、例えば、ポリエステル繊維が用いられる。
【００２８】
図７に示す織り方では、各縦糸２２は、１本の横糸２３の表面側を通過した後、１本の横糸２３の裏面側を通過する。横糸２３の裏面側とは、本体樹脂部１７に対向する側のことである。各縦糸２２は、横糸２３の表面側と裏面側とを交互に通過する。各横糸２３は、１本の縦糸２２の表面側を通過した後、１本の縦糸２２の裏面側を通過する。縦糸２２の裏面側とは、本体樹脂部１７に対向する側のことである。各横糸２３は、縦糸２２の表面側と裏面側とを交互に通過する。なお、基布２０の織り方は、図７に示す織り方に限定されない。
【００２９】
低摩擦糸２１は、移動手摺９が案内レール１６上を走行する際の抵抗（走行抵抗）を低減させるために備えられたものである。低摩擦糸２１は、基布２０に縫われた糸からなり、一部が基布２０の表面に露出する。例えば、低摩擦糸２１は、基布２０が織られた後に基布２０に縫い込まれる。低摩擦糸２１は、基布２０の表面側と裏面側とを往復するように配置される。図６は、低摩擦糸２１が基布２０の裏面側で裏糸２４の本体樹脂部１７側を通過する例を示す。即ち、図６は、裏糸２４によって低摩擦糸２１が抜け止めされた構成を一例として示している。
【００３０】
低摩擦糸２１は、帆布１９のうち、駆動ローラ１２が対向する部分に配置されない。本実施の形態では、駆動ローラ１２が、帆布１９の中央部に接触する。このため、低摩擦糸２１は、帆布１９の中央部（図５において符号Ｃで示された部分）を避けて、その両側（図５において符号Ｄで示された部分）に配置される。即ち、帆布１９の中央部では、基布２０の表面に低摩擦糸２１が露出しない。低摩擦糸２１は、帆布１９の上記中央部の両側で、断続的に基布２０の表面に露出する。本実施の形態では、低摩擦糸２１がジグザグに基布２０に縫われた帆布１９を一例として示している。なお、低摩擦糸２１の縫い方は、図５に示す縫い方に限定されない。
【００３１】
図５において符号Ｅで示された部分は、帆布１９の両縁部を示す。この部分の基布２０の表面に、低摩擦糸２１は露出しない。
【００３２】
低摩擦糸２１は、少なくともその一部に、基布２０を構成する繊維よりも低い摩擦特性を有する繊維であって、且つ、基布２０を構成する繊維よりも磨耗し易い所定の繊維が用いられる。低摩擦糸２１として、例えば、フッ素樹脂（ＰＴＦＥ）を基材とする繊維が用いられる。低摩擦糸２１として、超高分子ポリエチレンを基材とする繊維を用いても良い。
【００３３】
上記構成を有する移動手摺９は、手摺駆動装置１１によって駆動され、案内レール１６に沿って移動（走行）する。移動手摺９が走行を開始すると、低摩擦糸２１が案内レール１６に接触し、低摩擦糸２１が徐々に磨耗していく。これにより、低摩擦糸２１の磨耗粉（材料成分）が案内レール１６と基布２０の表面とに付着し、基布２０の表面が低摩擦糸２１の材料成分によってコーティングされる。
【００３４】
なお、低摩擦糸２１は、上述したように、基布２０の表面のうち、図５において符号Ｄで示された部分の表面に露出する。図５において符号Ｃで示された部分の表面に低摩擦糸２１は露出しない。このため、移動手摺９をその長手に移動させると、符号Ｄで示された部分の表面は低摩擦糸２１の材料成分によって満遍なくコーティングされるが、符号Ｃで示された部分の表面は低摩擦糸２１の材料成分によってコーティングされない。
【００３５】
基布２０の表面が低摩擦糸２１の材料成分によってコーティングされることにより、移動手摺９が案内レール１６上を走行する際の抵抗（走行抵抗）を大幅に低減させることができる。また、帆布１９を構成する縦糸及び横糸に低摩擦糸２１が用いられていないため、移動手摺９を安価に提供することができる。
【００３６】
本実施の形態における移動手摺９では、低摩擦糸２１を積極的に磨耗させて、その材料成分によって基布２０の表面をコーティングする。即ち、低摩擦糸２１は、案内レール１６に接触することによって徐々に磨耗する。低摩擦糸２１の磨耗が進行すると、低摩擦糸２１が基布２０の表面側で切断される恐れがある。しかし、上記構成の帆布１９では、低摩擦糸２１が基布２０の裏面側で裏糸２４によって抜け止めされている。このため、磨耗によって低摩擦糸２１が切断されても、低摩擦糸２１が基布２０から飛び出てしまうことはない。
【００３７】
なお、移動手摺９の製造に際しては、先ず、図４に示す移動手摺９と同じ構成を有する長尺の手摺本体を製作する。この手摺本体では、本体樹脂部１７と同じ断面を有する長尺の部材（本体樹脂部）に、抗張体１８や帆布１９が設けられる。長尺の手摺本体を製作した後、手摺本体を所定の長さに切断してその両端部を接続し、無端状の移動手摺９を完成させる。
【００３８】
実施の形態２．
図８は、この発明の実施の形態２における移動手摺９の帆布１９を示す正面図である。図９は、図８に示す帆布１９の断面図である。本実施の形態において、帆布１９以外の構成は、実施の形態１で開示した構成と同じである。
【００３９】
本実施の形態における帆布１９は、基布２０と低摩擦材２５とを備える。
基布２０の構成は、実施の形態１で開示した構成と同じである。
【００４０】
低摩擦材２５は、移動手摺９が案内レール１６上を走行する際の抵抗（走行抵抗）を低減させるために備えられたものである。低摩擦材２５は、基布２０に直接設けられた部材からなる。低摩擦材２５は、例えば、基布２０が織られた後に基布２０に固定される。低摩擦材２５は、基布２０を貫通するように設けられ、一部が基布２０の表面に露出する。低摩擦材２５の他の一部は、基布２０の裏面側に配置される。低摩擦材２５のうち基布２０の裏面側に突出する部分は、移動手摺９の製造時に本体樹脂部１７を構成する樹脂に埋設され、本体樹脂部１７と一体化される。
【００４１】
図９に示す低摩擦材２５は、一部或いは全体がＵ字状を呈する。この低摩擦材２５は、中間部が基布２０の表面に露出し、両端部が基布２０の裏面側に配置される。図１０及び図１１は、低摩擦材２５の他の例を示す図である。図１０に示す低摩擦材２５は、一部或いは全体がＴ字状を呈する。この低摩擦材２５は、基布２０の裏面側に配置される部分に抜け止め２６が形成される。図１１に示す低摩擦材２５は、一部がＶ字状を呈する。この低摩擦材２５は、Ｖ字状の部分が基布２０の孔（縫い目も含む）に挿入される。Ｖ字状の部分によって基布２０の孔を押し広げることにより、低摩擦材２５が基布２０から外れることを防止する。
【００４２】
低摩擦材２５は、帆布１９のうち、駆動ローラ１２が対向する部分に配置されない。本実施の形態では、駆動ローラ１２が、帆布１９の中央部に接触する。このため、低摩擦材２５は、帆布１９の中央部を避けて、その両側に配置される。即ち、帆布１９の中央部では、基布２０の表面に低摩擦材２５が露出しない。低摩擦材２５は、帆布１９の上記中央部の両側で、断続的に基布２０の表面に露出する。本実施の形態では、低摩擦材２５が基布２０の縦糸２２及び横糸２３の縫い目に合わせて規則的に配置された場合を一例として示している。なお、低摩擦材２５の配置は、図８に示す配置に限定されない。
【００４３】
低摩擦材２５は、少なくともその一部に、基布２０を構成する繊維よりも低い摩擦特性を有する繊維であって、且つ、基布２０を構成する繊維よりも磨耗し易い所定の繊維が用いられる。低摩擦材２５として成型品を用いても良い。低摩擦材２５として、例えば、フッ素樹脂（ＰＴＦＥ）を基材とする繊維或いは成型品が用いられる。低摩擦材２５として、超高分子ポリエチレンを基材とする繊維或いは成型品を用いても良い。
【００４４】
上記構成を有する移動手摺９は、手摺駆動装置１１によって駆動され、案内レール１６に沿って移動（走行）する。移動手摺９が走行を開始すると、低摩擦材２５が案内レール１６に接触し、低摩擦材２５が徐々に磨耗していく。これにより、低摩擦材２５の磨耗粉（材料成分）が案内レール１６と基布２０の表面とに付着し、基布２０の表面が低摩擦材２５の材料成分によってコーティングされる。移動手摺９をその長手に移動させることにより、基布２０の中央部の両側の表面を低摩擦糸２１の材料成分によって満遍なくコーティングすることができる。基布２０の中央部の表面は、低摩擦糸２１の材料成分によってコーティングされない。
【００４５】
基布２０の表面が低摩擦材２５の材料成分によってコーティングされることにより、移動手摺９が案内レール１６上を走行する際の抵抗（走行抵抗）を大幅に低減させることができる。低摩擦材２５を基布２０の任意の位置に配置することができ、低摩擦材２５を所望の状態に分散させることができる。また、帆布１９を構成する縦糸及び横糸に低摩擦糸が用いられていないため、移動手摺９を安価に提供することができる。
【００４６】
本実施の形態における移動手摺９では、低摩擦材２５を積極的に磨耗させて、その材料成分によって基布２０の表面をコーティングする。なお、低摩擦材２５は、基布２０の裏面側に配置された部分が本体樹脂部１７と一体化されるため、低摩擦材２５の磨耗が進行しても、低摩擦材２５が基布２０から飛び出てしまうことはない。
【００４７】
移動手摺９の製造に際しては、本実施の形態で開示した帆布１９を用いて、図４に示す移動手摺９と同じ構成を有する長尺の手摺本体を製作する。長尺の手摺本体を製作した後、手摺本体を所定の長さに切断してその両端部を接続し、無端状の移動手摺９を完成させる。
【符号の説明】
【００４８】
１  トラス、  ２  踏段、  ３  踏段チェーン、  ４  機械室、  ５  踏段駆動用スプロケット、  ６  駆動電動機、  ７  減速機、  ８  制御盤、  ９  移動手摺、  １０  欄干、  １１  手摺駆動装置、  １２  駆動ローラ、  １３  加圧ローラ、  １４  手摺駆動用スプロケット、  １５  手摺チェーン、  １６  案内レール、  １７  本体樹脂部、  １８  抗張体、  １９  帆布、  ２０  基布、  ２１  低摩擦糸、  ２２  縦糸、  ２３  横糸、  ２４  裏糸、  ２５  低摩擦材
【図１】
2014162591.tif 000003
【図２】
2014162591.tif 000004
【図３】
2014162591.tif 000005
【図４】
2014162591.tif 000006
【図５】
2014162591.tif 000007
【図６】
2014162591.tif 000008
【図７】
2014162591.tif 000009
【図８】
2014162591.tif 000010
【図９】
2014162591.tif 000011
【図１０】
2014162591.tif 000012
【図１１】
2014162591.tif 000013